(57)【要約】人工膀胱装具であって、第１の壁および第２の壁であって、それらの外縁において、またはそれらの外縁の近くにおいて互いに接続され、第１の壁がストーマ受け入れ開口を有している、第１の壁および第２の壁と、第１の壁と第２の壁の間に画定された尿採取キャビティと、ユーザに装具を取り付けるために第１の壁に接続された接続部材とを有し、この装具は、使用中の装具のねじれを防止するための補強部材を含む人工膀胱装具を提供する。
2018507067.tif 000002
【特許請求の範囲】
【請求項１】
人工膀胱装具であって、
第１の壁および第２の壁であり、それらの外縁において、またはそれらの外縁の近くにおいて互いに接続され、前記第１の壁はストーマ受け入れ開口を有する、第１の壁および第２の壁と、
前記第１の壁と前記第２の壁の間に画定された尿採取キャビティと、
ユーザに該装具を取り付けるために前記第１の壁に接続された接続部材と、
を有し、
該装具の使用中のねじれを防止するための補強部材を含む、人工膀胱装具。
【請求項２】
前記補強部材は、前記壁のうちの１つに接続される、請求項１に記載の人工膀胱装具。
【請求項３】
前記補強部材は、前記壁のうちの１つの上に、または前記壁のうちの１つによって提供される受け入れ構造において保持される、請求項１または２に記載の人工膀胱装具。
【請求項４】
前記補強部材は前記第１の壁に接続される、請求項１乃至３のいずれか一項に記載の人工膀胱装具。
【請求項５】
前記補強部材は前記第１の壁の外側表面に接続される、請求項４に記載の人工膀胱装具。
【請求項６】
前記補強部材は前記第１の壁の内側表面に接続される、請求項４に記載の人工膀胱装具。
【請求項７】
前記補強部材は前記第２の壁に接続される、請求項１乃至６のいずれか一項に記載の人工膀胱装具。
【請求項８】
前記補強部材は前記第２の壁の外側表面に接続される、請求項７に記載の人工膀胱装具。
【請求項９】
前記補強部材は前記第２の壁の内側表面に接続される、請求項７に記載の人工膀胱装具。
【請求項１０】
前記補強部材は前記壁を横切って横方向に延在する、請求項１乃至９のいずれか一項に記載の人工膀胱装具。
【請求項１１】
前記補強部材は前記壁を横切って側方に延在する、請求項１乃至１０のいずれか一項に記載の人工膀胱装具。
【請求項１２】
前記補強部材は前記装具の縦軸に対して実質的に垂直に延在する、請求項１乃至１１のいずれか一項に記載の人工膀胱装具。
【請求項１３】
前記補強部材は前記装具の下半分に配置される、請求項１乃至１２のいずれか一項に記載の人工膀胱装具。
【請求項１４】
前記補強部材は、前記装具の底部の近くにまたは前記装具の底部に隣接して配置される、請求項１乃至１３のいずれか一項に記載の人工膀胱装具。
【請求項１５】
前記装具は排出出口を含み、前記補強部材は使用中に前記装具の残部に対する前記排出出口のねじれを抑制する、請求項１乃至１４のいずれか一項に記載の人工膀胱装具。
【請求項１６】
前記補強部材は、前記排出出口の近くにまたは前記排出出口に隣接して配置される、請求項１５に記載の人工膀胱装具。
【請求項１７】
前記補強部材は細長い、請求項１乃至１６のいずれか一項に記載の人工膀胱装具。
【請求項１８】
前記補強部材は、前記第１の壁および前記第２の壁の前記外縁の近くに、または前記第１の壁および前記第２の壁の前記外縁に隣接して配置される、対向する端部部分を含む、請求項１乃至１７のいずれか一項に記載の人工膀胱装具。
【請求項１９】
前記補強部材は、前記第１の壁および前記第２の壁の前記外縁において、または前記第１の壁および前記第２の壁の前記外縁に隣接して終端する、対向する端部部分を含む、請求項１乃至１８のいずれか一項に記載の人工膀胱装具。
【請求項２０】
前記補強部材の前記端部部分は湾曲している、請求項１乃至１９のいずれか一項に記載の人工膀胱装具。
【請求項２１】
前記補強部材の前記端部部分は部分的に円形である、請求項１乃至２０のいずれか一項に記載の人工膀胱装具。
【請求項２２】
前記補強部材は凸面であり、その結果、それが接続されている壁を他方の壁／キャビティから遠ざけるようにそれが付勢する、請求項１乃至２１のいずれか一項に記載の人工膀胱装具。
【請求項２３】
前記補強部材は、前記排出出口に接続され、または前記排出出口と一体の部分として形成される、請求項１５に直接的にまたは間接的に従属する請求項１６乃至２２のいずれか一項に記載の人工膀胱装具。
【請求項２４】
前記補強部材は実質的に平面である、請求項１乃至２１のいずれか一項に記載の人工膀胱装具。
【請求項２５】
添付図面を参照して明細書中で実質的に説明され、且つ、添付図面中に実質的に示された人工膀胱装具。
【請求項２６】
明細書中で説明されおよび／または添付図面中に示された、任意の新規な特徴、または、特徴の任意の新規な組み合わせ。
【発明の詳細な説明】
【技術分野】
【０００１】
本発明は、尿採取のための人工膀胱装具に関する。本発明は、排出可能な人工膀胱装具および排出不可能な人工膀胱装具において利用され得ることが、理解されるべきである。本発明は、ワンピース人工膀胱装具とツーピース人工膀胱装具との両方にも適用可能である。
【背景技術】
【０００２】
尿を採取するための人工膀胱装具が知られている。
【発明の概要】
【０００３】
本発明の第１の態様によれば、本発明者らは、人工膀胱装具であって、
第１の壁および第２の壁であり、それらの外縁において、またはそれらの外縁の近くにおいて互いに接続され、第１の壁はストーマ受け入れ開口を有する、第１の壁および第２の壁と、
第１の壁と第２の壁の間に画定された尿採取キャビティと、
ユーザにこの装具を取り付けるために第１の壁に接続された接続部材と
を有し、
使用中のこの装具のねじれを防止するための補強部材を含む人工膀胱装具
を提供する。
【０００４】
本発明の第１の態様のさらなる特徴は、本明細書に添付された、請求項２乃至２１において述べられている。
【０００５】
本発明の実施形態は、ここで、添付の図面を参照しつつ、あくまでも例示として説明される。
【図面の簡単な説明】
【０００６】
【図１】本発明に係る人工膀胱装具の第１の実施形態の正面図である。
【図２】図１の装具の背面図である。
【図３】図１および図２の装具の、平面Ａを通る断面図である。
【図４】本発明に係る人工膀胱装具の第２の実施形態の正面図である。
【発明を実施するための形態】
【０００７】
図をまず参照すると、これらは、全体的に１０で示される、本発明に係る人工膀胱装具の第１の実施形態を示す。人工膀胱装具１０の一般的な構造は、本技術分野において周知の構造と同様であり、その意味において、それは、第１の壁１２および第２の壁１４であって、それらの外縁１３において、またはそれらの外縁１３の近くにおいて、例えば、熱溶着によって、または接着剤を使用することによって、互いに接続される、第１の壁１２および第２の壁１４を含む。壁１２および１４は、以下に示される部分以外は不透明であるが、必ずしもそうである必要はない。図示される人工膀胱装具は、排出可能な装具であり、その内容物が排出出口２５を通って空にされ得ることを意味する。代替実施形態では、この装具は、排出可能である必要はない。第１の壁１２および第２の壁１４は、尿採取キャビティ１７を画定する。
【０００８】
本実施形態は、互いにオーバーラップする上部壁部１５ａと下部壁部１５ｂとから作られる、さらなる第３の壁も含む。第３の壁の目的は、オーバーラップする壁部１５ａ、１５ｂを通じてユーザが内容物を見ることを可能にしながら、使用中に装具の内容物を隠すことである。壁部１５ａ、１５ｂは、それらの外縁１３において、またはそれらの外縁１３の近くにおいて、第２の壁に接続される。
【０００９】
第１の壁１２は、ストーマ受け入れ開口１６を有し、円形のフランジ１８の形式の一般的な接続部材に接続されており、フランジ１８は、ユーザのストーマの周りでユーザに対して装具１０を付着させるために、親水コロイド材料から製造される。他の実施形態では、接続部材が、ツーピースまたは同様の結合器の一部であり、別の連結部材が、ユーザに対して付着させられた状態であってもよい。装具をユーザに対して接続する、そのような代替案は周知であり、したがって、本明細書においては、さらに詳細には論じない。
【００１０】
有利には、この装具は、第２の壁１４の外側表面に接続される補強部材３０を含む。補強部材３０は、細長く、装具１０の細長い軸Ａに対して実質的に垂直に、装具および第２の壁１４を横切って横方向に（すなわち、側方に）延在する。補強部材３０のこの位置は、必須ではない（それは、他の角度で延在してもよい）が、使用中のねじれを最大限に抑制することを達成することが好ましい。
【００１１】
代替実施形態では、補強部材は、第２の壁に加えて、または第２の壁の代わりに、第１の壁に接続されてもよい。予想される実施形態では、補強部材は、第１の壁および／または第２の壁の内側表面または外側表面に接続されてもよい。予想される実施形態では、本発明に係る装具は、補強部材を受け入れるための受け入れ構造を有してもよい。例えば、壁のうちの１つは、補強部材が挿入され得るポケットを含んでもよい。さらなる例において、装具の補強部材および／または壁は、ユーザが補強部材を壁に接続することができるように、接着剤を供給されてもよい。
【００１２】
補強部材３０は、装具１０の底部の近くに、または装具１０の底部に隣接して配置されるように、装具１０の下半分に配置される（「底部」とは、重力を受けて尿が採取される端部である）。排出出口２５を含む、この実施形態では、補強部材３０が、排出出口２５の近くに、または排出出口２５に隣接して配置される。この位置において、補強部材３０は、使用中に装具の残部に対する排出出口２５のねじれを抑制することにおいて特に有利である。排出出口のそのようなねじれは、出口が適切な導管を介してさらなる採取容器に対して接続される夜間に発生し得る。ねじれは、不快感の増加を生じさせ得るが、さらに重要なことは、装具からの漏れを引き起こし得ることである。
【００１３】
補強部材３０は、半円形（すなわち、部分的な円形）である、対向する端部部分３１、３２を有する。対向する端部部分３１および３２は、第１および第２の壁１２、１４の外縁１３の近くに、または外縁１３に隣接して配置される。これは、補強部材３０ができるだけ長くなり、使用中の装具のねじれを最大限に抑制することを確保する。端部部分の部分的に円形の形状は、特に、睡眠中に装具を着用している場合に、ユーザを突き得る鋭利なエッジ／先端が補強部材３０上に存在しないことを意味する。代替実施形態では、対向する端部部分は、第１の壁および第２の壁の外縁において、または第１の壁および第２の壁の外縁に隣接して終端する。またさらなる実施形態では、補強部材は、第１の壁および第２の壁の全体の周りに延在してもよい。
【００１４】
図４を参照すると、これは、本発明に係る人工膀胱装具１１０の第２の実施形態を示す。第１の実施形態と共通の特徴には、同じ参照符号が与えられており、ただし、１００が追加されている。それらの共通の特徴は、さらに詳細には論じられることはない。
【００１５】
装具１１０も、第２の壁１１４の外側表面に接続される補強部材１３０を含む。補強部材１３０は、拡張部分１３１、１３２を備えて排出出口１２５と一体に形成され、拡張部分１３１、１３２は、細長く、壁１１４の外縁に向かって、装具１１０の細長い軸に対して実質的に垂直に、出口１２５から遠ざかるように横方向に（すなわち、側方に）延在する。補強部材１３０のこの位置は、必須ではない（それは、他の角度で延在してもよい）が、使用中のねじれを最大限に抑制することを達成することが好ましい。
【００１６】
代替実施形態では、補強部材１３０は、第２の壁１１４に加えて、または第２の壁１１４の代わりに、第１の壁に接続されてもよい。予想される実施形態では、補強部材１３０は、第１の壁および／または第２の壁１１４の内側表面または外側表面に接続されてもよい。
【００１７】
補強部材１３０は、出口１２５と一体であるが、それは、別個の構成部品であってもよく、ただし、出口１２５において、または出口１２５の近くにおいて、同じ位置または同様の位置に配置され得ることが、認識されるべきである。同様に、装具１１０は、拡張部分１３１、１３２のうちの１つのみを備えてもよく、または、それらに対する付加的な拡張部分（例えば、３つ以上）を備えてもよい。
【００１８】
本実施形態では、補強部材３０、１３０が実質的に平面であるが、補強部材は凸面であってもよく、その結果、それが接続されている壁を他方の壁／キャビティから遠ざけるようにそれが付勢する実施形態が予想される。そのような実施形態では、凸形状は、特に、使用中に排出出口において、装具がねじれることをさらに抑制することを促進する。
【００１９】
本明細書および特許請求の範囲において使用される場合、「備える（comprises）」および「含む（comprising）」という用語ならびにこれらの変形は、特定された特徴、ステップまたは整数が含まれることを意味する。これらの用語は、他の特徴、ステップまたは構成要素の存在を除外するように解釈されるべきではない。
【００２０】
前述の説明、または以下の特許請求の範囲、または添付の図面において開示された特徴であって、必要に応じて、それらの特定の形態で、または開示された機能を行なうための手段という観点で、または開示された結果に到達するための方法もしくはプロセスにおいて表現された特徴は、独立して、またはそのような特徴の任意の組み合わせにおいて、それらの多様な形態において本発明を実現するために利用され得る。
【図１】
2018507067.tif 000003
【図２】
2018507067.tif 000004
【図３】
2018507067.tif 000005
【図４】
2018507067.tif 000006
【国際調査報告】
2018507067.tif 000007
2018507067.tif 000008
2018507067.tif 000009